(57)【要約】      （修正有）【課題】ドア枠とドアパネルの間の取付け部分を隠蔽するためのドアヒンジであって、本体が取付けタブに対して調節可能であるドアヒンジを提供する。【解決手段】ドアヒンジはリーフ組立て部材３内のインサート７上で支持された二つの部分から成る回転機構６を備えている。回転機構６が第一リーフ組立て部材３の本体１１内で保持されたインサート７に支持されており、前記インサート７が、本体１１に対して、第一リーフ組立て部材３の正面に対して垂直な第一水平方向ｘに調節可能であり、第一リーフ組立て部材３の本体１１が、端部で取付けタブ５に対して、第一リーフ組立て部材の正面に対して平行な第二水平方向ｙに調節可能である。【選択図】図１
2010133234.tif 000002
【特許請求の範囲】
【請求項１】
ドア枠（１）とドアパネル（２）の間の取付け部分を隠蔽するためのドアヒンジであって、
第一および第二リーフ組立て部材（３，３’）を備えており、これら第一および第二リーフ組立て部材がドアパネル（２）の縁部内でおよびドア枠（１）内でほぞ孔（４，４’）内に取付け可能であり、
少なくとも二つの部分から成る回転機構（６）を備えており、この回転機構が前記二つのリーフ組立て部材（３，３’）を接続しており、
少なくとも第一リーフ組立て部材（３）が本体（１１）と、ドアパネル（２）あるいはドア枠（１）に取付けるための取付けタブ（５）とを備えており、これら取付けタブが本体（１１）の端部に枢着されており、この本体（１１）が取付けタブ（５）に対して調節可能であるドアヒンジにおいて、
前記回転機構（６）が第一リーフ組立て部材（３）の本体（１１）内で保持されたインサート（７）に支持されており、
前記インサート（７）が、本体（１１）に対して、第一リーフ組立て部材（３）の正面に対して垂直な第一水平方向（ｘ）に調節可能であり、
第一リーフ組立て部材（３）の本体（１１）が、端部で取付け端部（５）に対して、第一リーフ組立て部材の正面に対して平行な第二水平方向（ｙ）に調節可能であることを特徴とするドアヒンジ。
【請求項２】
取付けタブ（５）が一体型であり、かつほぼ板状であることを特徴とする請求項１記載のドアヒンジ。
【請求項３】
板状の取付けタブ（５）が各々、孔を有しており、かつ前記孔を通って係合している保持ネジ（１４）により本体（１１）に固定されていることを特徴とする請求項２記載のドアヒンジ。
【請求項４】
一方の調節機構（２０）が、第二水平方向（ｙ）で各取付けタブ（５）を調節するために、各取付けタブ（５）の各々に取付けられていることを特徴とする請求項１〜３のいずれか１つに記載のドアヒンジ。
【請求項５】
調節機構（２０）が第一リーフ組立て部材（３）の正面側に対して垂直に延びている軸線（２６）で本体（１１）に枢着された偏芯部材（２５）を備えていることを特徴とする請求項４記載のドアヒンジ。
【請求項６】
調節ネジ（１５）が第一水平方向（ｘ）でインサート（７）を調節するために枢着されており、かつインサート（７）を本体（１１）に接続していることを特徴とする請求項１〜５のいずれか１つに記載のドアヒンジ。
【請求項７】
第二リーフ組立て部材（３’）が本体（１１’）と、ドアパネル（２）あるいはドア枠（１）に取付けるための取付けタブ（５’）とを備えており、これら取付けタブが
本体（１１’）から延びており、本体（１１’）が各取付けタブ（５’）に対して垂直方向（ｚ）に第二リーフ組立て部材（３’）上で位置決め可能であることを特徴とする請求項１〜６のいずれか１つに記載のドアヒンジ。
【請求項８】
第二リーフ組立て部材（３’）の取付けタブ（５’）が一体型であり、かつほぼ板状であることを特徴とする請求項７記載のドアヒンジ。
【請求項９】
第二リーフ組立て部材（３’）上の取付けタブ（５’）が、垂直方向（ｚ）に延びている二つの長孔（１７）を備えており、かつこの長孔（１７）を通って係合している保持ネジ（１４’）により本体（１１’）に移動可能に取付けることができる
ことを特徴とする請求項８記載のドアヒンジ。
【請求項１０】
本体（１１’）を垂直方向に調節するための機械式調節機構（２０）が、少なくとも一方のタブ（５’）上に取付けられていることを特徴とする請求項７〜９のいずれか１つに記載のドアヒンジ。
【請求項１１】
調節機構（２０）が本体（１１’）の固定面（２１）で支承している、あるいは本体（１１’）から延びている固定部材上で支承している調節ネジ（２２）を備えていることを特徴とする請求項１０記載のドアヒンジ。
【請求項１２】
回転機構（６）が共通の枢軸線（９）で互いに枢着された二つのヒンジ金具（８，８’）を備えており、ヒンジ金具（８，８’）が各々、インサート（７，７’）の一つの一方の端部で枢着されており、かつインサート（７，７’）の他方の案内スロット（２３，２３’）内の他方の端部で移動可能であることを特徴とする請求項１〜１１のいずれか１つに記載のドアヒンジ。
【発明の詳細な説明】
【技術分野】
【０００１】
本発明は、ドア枠とドアパネルの間の取付け部分を隠蔽するためのドアヒンジであって、
第一および第二リーフ組立て部材を備えており、これら第一および第二リーフ組立て部材がドアパネルの縁部内でおよびドア枠内でほぞ孔内に取付け可能であり、
少なくとも二つの部分から成る回転機構を備えており、この回転機構が前記二つのリーフ組立て部材を接続しており、少なくとも第一リーフ組立て部材が本体と、ドアパネルあるいはドア枠に取付けるための取付けタブとを備えており、これら取付けタブが本体の端部に枢着されており、この本体が取付けタブに対して調節可能であるドアヒンジと、両リーフ組立て部材を接続している、少なくとも二つの部分から成る回転機構とに関する。
【背景技術】
【０００２】
ドア枠とドア扉の間に隠蔽された取付けを行うための一般的なドアヒンジは、特許文献１から知られている。リーフ組立て部材は各々、本体と本体の両端部に二つの取付けタブとを備えている。取付けタブは各々、正面板と背面板を備えている。リーフ組立て部材の一つにおいて、本体は両リーフ組立て部材に対して垂直方向に調節可能であり、ネジは取付けタブにおいて正面板を背面板に接続するために本体内の長孔内に係合している。ネジが取外されていると、本体は垂直方向に移動でき、かつネジを再度固く再締め付けすることにより所望の位置に固定される。本体がその後滑るのを避けるために、正面板の後側と本体の向かい合った面は隆起部を備えている。他方のリーフ組立て部材上において、取付けタブは各々、正面板と背面板の間で延在する調節ネジを備えており、この調節ネジにより、本体はリーフ組立て部材の正面に対して垂直方向および水平方向に位置決めされている。このようにして、ドア枠の内側でのドアパネルの横方向の移動は調節ネジの操作により可能である。この環境において、ドアが横方向に調節できる横方向の移動手段は、閉鎖したドアに対して平行に延びている。さらにドアヒンジは垂直方向の枢軸線で互いに枢着された二つの部材を備えた回転機構を備えている。これらの部材は本体の一つに各々枢着されており、かつ他方の端部で案内スライド内で移動可能な様式で案内されている。
【０００３】
少なくとも一つのリーフ組立て部材がドアもしくはドア枠上に取付けるための本体と取付けタブを備えた一般的ドアヒンジは、特許文献２および３からも知られている。
【０００４】
ドア枠とドアパネルの間に隠蔽されて取付けられたドアヒンジは特許文献４から知られている。二つのリーフ組立て部材とヒンジ金具機構に加えて、それに関して説明されたドアヒンジはさらに取付け場所に固定されたインサートも備えている。本発明によるこの目的で、インサートは垂直方向におよび／または水平方向に調節可能である。ドアを完全に調節するには、二つの水平調節方向と一つの垂直調節方向が必要である。これらの軸線での調節により、ドアパネルをドア枠に取付ける際に、ドア枠に対するドアパネルの位置合わせをを十分正確に行うことができる。この位置合わせは高さに関して、ドアに対して平行に延びている方向に平行な閉鎖したドアに基づいた横方向で、および閉鎖したドアに対して垂直に延びている方向で行わねばならない。特許文献４に説明された実施例によれば、水平方向に調節するための調節手段は、ドア枠に対するドアパネルの調節が、両リーフ組立て部材で行わねばならないように両リーフ組立て部材に設けられている。挿入されているが約９０°のまだ調節されていないドアの開放角に関して、一方の水平方向での調節のための、そして他方の水平方向での調節のための調節軌道の調節は余計であり、従って特に素人にとっては著しく複雑な取付け作業である。特許文献４による別の実施例は、リーフ組立て部材の一つに二つの水平方向でのインサートを備えている。このような調節を容易にしている実施例は極めて構造が複雑である。その上、ドアヒンジの能力は第二の水平方向に調節可能なインサートの実施例によりさらに限定されている。
【先行技術文献】
【特許文献】
【０００５】
【特許文献１】欧州特許出願公開第１７８０３５７号明細書
【特許文献２】独国特許出願第２０２００５０１８１０２号明細書
【特許文献３】独国特許出願第２０２００６００４１９８号明細書
【特許文献４】独国特許第２０２１３１５５号明細書（米国特許第２００３／００８８９４３号明細書）
【特許文献５】独国特許第１８７３５１２号明細書（米国特許公開第３２０９３９０号明細書）
【特許文献６】特開平４−２７０８９公報（要約書）
【発明の概要】
【発明が解決しようとする課題】
【０００６】
この背景に照し合せて、ドアヒンジを提供するための本発明の課題は、ドア枠とドアパネルの間の取付け部分を隠蔽するためのドアヒンジであって、  第一および第二リーフ組立て部材を備えており、これら第一および第二リーフ組立て部材がドアパネルの縁部内でおよびドア枠内でほぞ孔内に取付け可能であり、少なくとも二つの部分から成る回転機構を備えており、この回転機構が前記二つのリーフ組立て部材を接続しており、少なくとも第一リーフ組立て部材が本体と、ドアパネルあるいはドア枠に取付けるための取付けタブとを備えており、これら取付けタブが本体の端部に枢着されており、この本体が取付けタブに対して調節可能であるという特徴を有するドアヒンジを提供することであり、この特徴は高い安定性を有しており、かつドアパネルの水平方向の容易な調節をすることもできる。さらに特にドアヒンジは構造が簡単であるべきであり、したがってドアヒンジの製造に関しては費用効果が高い。
【課題を解決するための手段】
【０００７】
この課題は、本発明によれば、前記回転機構が第一リーフ組立て部材の本体内で保持されたインサートに支持されており、  前記インサートが、本体に対して、第一リーフ組立て部材の正面に対して垂直な第一水平方向に調節可能であり、  第一リーフ組立て部材の本体が、端部で取付け端部に対して、第一リーフ組立て部材の正面に対して平行な第二水平方向に調節可能であることにより達せられる。第二水平方向におけるこのような調節性は、ドアフレームに対してドアパネルを押込んで調節できることであり、ドアパネルは閉鎖したドアの平面に対して垂直方向に調節可能である。このことは、第一水平方向ならびに第二水平方向におけるドアパネルの調節機構が、ドアヒンジのただ一方のリーフ組立て部材に取付けられているだけで確実に行われる。二つの水平方向の調節機構が一方の側に配設されることにより、ドア取付け時の取付け作業員の仕事が楽になることが重要である。ドアの取付け時に、本発明によるドアヒンジは、水平方向に調節可能なインサートがドアパネルに割当てられたリーフ組立て部材内に配置されているように、ドアもしくはドア枠上でリーフ組立て部材内に調節機構が必要に応じて配置されるように挿入されている。
【０００８】
本発明の別の側面は、ドア枠とドアパネルの間のドアヒンジの隠蔽式取付け機構に関しており、この隠蔽式取付け機構は少なくとも一つのリーフ組立て部材を有しておりこのリーフ組立て部材はその端部に本体と取付けタブを備えており、さらに本発明の別の側面は、取付けタブの精密な実施例にも関しており、この実施例は一体型で、かつほぼ板形状で具現化されている。実施例は取付けタブが正面板および背面板を有する従来技術から知られているが、本発明は、適切な構造形態において、ドアあるいはドア枠にリーフ組立て部材取付けるのに十分である、一体型でかつほぼ板状の取付けタブである発明に基づいている。この目的を達するために、取付けタブは本体に取付けられるように、かつドアパネルあるいはドア枠にリーフ組立て部材全体を固定するために孔を有しているのが通例である。板状取付けタブは本体に設置された好ましい実施例の範囲内で設けられているにすぎないので、浅い切削加工だけがドアパネルの各場所においてかつドア枠において必要とされるような様式で、浅い取付け深さが両リーフ組立て部材の端部領域内で用いられる。第二水平方向において取付けタブと本体の間の第一リーフ組立て部材における調節ができるように、取付けタブは本体に対して所望の位置で取付けるための長孔内に係合している保持ネジを備えた場所に例えば水平方向の長孔を備えている。この目的で、本体は例えばネジを収容するネジを切った孔もしくはネジを切ったインサートを備えていてもよい。
【０００９】
一体型でほぼ板状の取付けタブが、第二リーフ組立て部材に設けられていると、取付けタブは本体を取付けタブに対して垂直に位置決めすることができるように例えば垂直方向に延びている長孔を備えていてもよい。この目的で、本発明の範囲内にあるほぼ板状の手段は、少なくとも一部が平坦な正面と平坦な背面を備えた取付けタブの実施例であり、この取付けタブは本体から延びている。しかしながら、調節機構を収容するためのモールディング、もしくは材料を節約するための凹部の少なくとも一部が設けられていることはこの目的では考慮すべきではない。
【００１０】
第二水平方向で本体に対して取付けタブが精密に調節できるように、調節機構が第一リーフ組立て部材の取付けタブの各々に配置されているのは、本発明の範囲内にある。この目的で、調節機構は本体のリーフ組立て部材の正面に対して、もしくは割当てられた取付けタブに対して垂直な軸線に枢着された偏芯部材を備えていてもよい。代替えとして、さらに調節機構が本体の固定面に、もしくは調節ネジの枢着により本体が各取付けタブに対して移動するように本体から延びている別の楔形固定部材に作用している調節ネジを備えている。
【００１１】
調節ネジは第一水平方向にインサートを調節しかつインサートを本体と接続するための第一リーフ組立て部材に設けられている。調節ネジはその軸線がリーフ組立て部材の正面に対して垂直に延びるように整向されている。このようにして、インサートはｘ方向で本体内で調節されており、したがってドアの左右方向の調節が可能になる。
【００１２】
先に説明したように、本体が取付けタブに対して垂直方向に調節できるように、本体が本体の端部で取付けタブを適所に備えていることにより垂直方向の調節が第二リーフ組立て部材において可能となっている。このように調節できることは、垂直方向の長孔が取付けタブに設けられており、保持ネジにより所望の位置に固定されていることにより達せられる。しかしながら短所の一つは、ドアパネルの重量を取付け時に取付け作業員が支持しなければならないことである。特に重いドアの場合、取扱いが面倒であり、精密な位置合わせは大きな力を使うので難しい。第二リーフ組立て部材における垂直方向での位置合わせを容易にするために、調節機構には長孔の形態に加えて垂直方向の調節が備わっている。好ましい実施例の範囲内で、調節機構は楔形固定部材に作用し、かつ各取付けタブのネジを切った孔に適合した調節ネジを備えている。この目的で、調節ネジは調節ネジに対して直角に整向された楔形固定部材の固定面に作用し、この楔形固定部材は本体から固定面の反対側に延びている。調節ネジが固定面に作用する、丸みを付されているかあるいは円錐形の端部を有していると有利である。取付け時に本体を第二リーフ組立て部材上で垂直方向に調節するために、調節ネジは本体を持上げるために低い方の取付けタブでネジ止めしなければならないか、あるいは低い方の本体のネジを緩めなければならないだけである。ドアヒンジの取付け時に低い方の取付けタブだけを上述の調節機構を有する必要があったとしても、ドアヒンジが後付けすることなく左手あるいは右手のドアのために同じように挿入されるように、調節機構が第二リーフ組立て部材の両取付けタブに設けられているのが好ましい。十分な間隙が使用できるように、調節機構が取付け時に先端部分で取付けタブ上で緩めねばならないのは随意である。本体を調節機構により所望の垂直方向位置で設置する場合、本体のクランプは両取付けタブにおいて行うのが有利である。
【００１３】
本発明の範囲内において、回転機構は一般に枢軸線に枢着された二つのヒンジ金具を備えており、各ヒンジ金具は一方の端部で枢着されており、かつ案内スロット内では他方の端部において移動可能である。ヒンジ金具のこのような実施例は安定性が良好であることを特徴としているが、同時に製造費が低いことも要求される。さらにヒンジ金具の配設は、構造が極めてコンパクトであるように、ヒンジ金具がドアの閉鎖時に設けられたリーフ組立て部材の内側の空域をほぼ満たす効果を備えている。この特徴は隠蔽式ドアヒンジにとって真髄である。したがって、回転機構はリーフ組立て部材内で枢着されただけの二叉状ヒンジ金具の配設で形成されていてもよい。この目的で、第一ヒンジ金具タイプのヒンジ金具は、その両端部において両リーフ組立て部材内で枢着されているが、このタイプのヒンジ金具は第一リーフ組立て部材内、および第二リーフ組立て部材内では互いに垂直方向にずれて配置されているが、枢軸においては中央部分で接続している。したがって、第二ヒンジ金具タイプのヒンジ金具は枢着されており、これらのヒンジ金具は通常比較的短く、かつ両リーフ組立て部材内において垂直方向の枢軸線を中心に両端部の一方で互いに枢着されており、かつずれている第一ヒンジ金具タイプのヒンジ金具の両自由端部に対して他方の端部で枢着されている。このようなドアヒンジは、例えば特許文献５および６から知られている。最後に、ヒンジ金具がその両端部で枢着されており、少なくとも一つの制御レバーが枢着動作を制御するために設けられている実施例も用意してある。
【００１４】
本発明によるドアヒンジの別の実施例において、取付け面へ取付け可能でありかつ取付け面から取外し可能であるカバーを設けることは有利である。カバーは取付け面に一致した形状と、ドア枠の色に一致した色を備えた金属シートである。このようにして、アピールしたようなすでに認められる隠蔽式ドアヒンジの外観をさらに誇張してある。
【００１５】
垂直方向と水平方向の関係は、本発明の範囲内で本発明によるドアヒンジの共通の配設を指しており、かつ本発明に関する実施例の説明だけに役立っている。別の方向での特定の適用事例における、本発明によるドアヒンジの配設の可能な実施例も含まれるべきである。
【００１６】
本発明を図示した実施例を基にして以下に詳しく説明する。
【図面の簡単な説明】
【００１７】
【図１】開いた姿勢でのドアヒンジの側面図である。
【図２】図１のＡ−Ａ線に沿った断面図である。
【図３】図１のＢ−Ｂ線に沿った断面図である。
【図４】図１のＣ−Ｃ線に沿った断面図である。
【図５】開いた姿勢でのドアヒンジの平面図である。
【図６】取付け面の１つに関するカバーの図である。
【図７】第二の水平方向における調節機構のために本体に配置された偏芯部材を有するリーフ組立て部材の側面図である。
【発明を実施するための形態】
【実施例】
【００１８】
図１はドア枠１とドアパネル２の間の隠蔽式取付け機構のためのドアヒンジを示しており、このドアヒンジはドアパネル２の縁部およびドア枠１の各ほぞ孔４，４’内に配置可能な第一および第二のリーフ組立て部材３，３’を備えており、さらに各取付けタブ５，５’はドアパネル２およびドア枠１に取付けるための孔を備えている。ドアヒンジはさらにリーフ組立て部材３，３’内のインサート７，７’上で支持された二つの部分から成る回転機構６を備えている。この目的で回転機構６は枢軸線９で互いに枢着された二つのヒンジ取付け金具８，８’を備えている。第一リーフ組立て部材３のインサート７は第一リーフ組立て部材３の正面に対して垂直な第一水平方向ｘに調節するために移動可能である。第一水平方向ｘに移動可能なインサート７は、インサート７の移動方向に対して垂直な第二水平方向ｙにおいてこのリーフ組立て部材３の取付けタブ５に対して可動な第一リーフ組立て部材３自体の本体１１内に取付けられている。この図から、取付けタブ５は１つの部分から成り、かつほぼ板形状であることがわかる。この目的で取付けタブ５は各々、長孔１３を備えており、かつ長孔１３を通って係合している保持ネジ１４により本体１１に接続している。
【００１９】
保持ネジ１４により取付けられたタブ５の取付け状態は、第一リーフ組立て部材３を通る垂直断面図である図２においてもわかる。さらに図２からは、調節ネジ１５がインサート７を、第一水平方向ｘにおいてインサート７を移動させるための本体１１に接続していることがわかる。
【００２０】
図３は第二リーフ組立て部材３’を通る垂直断面図を示しており、この第二リーフ組立て部材はドア枠１内のほぞ孔内に挿入できるのが好ましい。取付けタブ５’は一体型で、かつほぼ板状であり、さらに第二リーフ組立て部材３’の本体１１’に対して移動可能な様式で垂直方向ｚに移動できる。さらに図３からは、取付けタブ５’が各々、垂直方向の長孔１７を備えており、かつ前記長孔１７を通って係合する保持ネジ１４’により本体１１’に配置されていることがわかる。さらにこの図には、取付けタブ５，５’に取り付けでき、かつ取付けタブ５，５’から取外しできるカバー１９が示してある。
【００２１】
図４から、本体１１’を垂直方向に調節するための機械式調節機構２０’が、第二リーフ組立て部材３’の各取付けタブ５’内に設けられていることがわかる。各調節機構２０’は
本体１１’の固定面（wedge face）２１を突く調節ネジ２２を備えているか、あるいは図４に示したように、本体１１’から延びる別の楔型固定部材（wedge）２４に作用し、この楔型固定部材２４は各調節ネジ２２に対して直角に整列されている。さらに図４からは、第二リーフ組立て部材３’のインサート７’がネジ２７により各本体１１’に取付けられていることもわかる。
【００２２】
図５は開放した姿勢におけるドアヒンジを通る、平面の垂直断面図である。この図から、回転機構６が、共通の枢軸線９で互いに枢着している二つのヒンジ金具８，８’を備えており、二つのヒンジ金具８，８’は、インサート７，７’の一方の中で一方の端部に枢着しており、かつインサート７，７’の他方の案内スロットの中で他方の端部で移動可能に支持されている。
【００２３】
図７は第一取付け部材３の代替え的実施例を示しており、調節機構２０は第二水平方向ｙで本体１１に対して取付けタブ５を調節するための取付けタブ５の各々に配置されている。調節機構２０は第一リーフ組立て部材３の正面側に対して垂直な軸線２６で本体１１に枢着している偏芯部材２５を備えている。
【図１】
2010133234.tif 000003
【図２】
2010133234.tif 000004
【図３】
2010133234.tif 000005
【図４】
2010133234.tif 000006
【図５】
2010133234.tif 000007
【図６】
2010133234.tif 000008
【図７】
2010133234.tif 000009
【外国語明細書】
2010133234000001.pdf